(57)【要約】【課題】火災時において通気路を確実かつ迅速に遮断できるとともに、外観性に優れ、かつ屋根裏への虫の侵入を防ぐことが可能な軒先構造を提供することを目的とする。【解決手段】通気部７は、雨樋部材３の下部の屋根側面との間に所定の隙間Ｂをあけて配置されるとともに、この隙間Ｂに向かって開口することによって空隙Ａと屋外とを連通する通気孔７ｂが長さ方向に沿って複数並設される正面板部７ａを備えており、中仕切り板１１は、正面板部７ａと所定の隙間Ｃをあけて対向配置されるとともに、長さ方向に沿って通気孔１１ｂが複数並設される対向板部１１ａを備えており、これら正面板部７ａと対向板部１１ａとの間の隙間Ｃには、火災時に発泡して該隙間Ｃを塞ぐ防火発泡材１２が設けられている。これにより、火災時において、防火発泡材は、他の方向に向かって発泡することなく、この隙間内だけで発泡する。【選択図】図１
2010168886.tif 000002
【特許請求の範囲】
【請求項１】
屋根の軒先側端部の鉛直面と、この鉛直面に設けられる雨樋部材との間に、屋根裏空間と屋外とを連通する屋根裏換気用の鼻隠部材を介在してなる軒先構造において、
前記雨樋部材の下部は、前記鉛直面の下端部の高さ位置よりも下方に位置しており、
前記鼻隠部材は、前記鉛直面の長さ方向に沿って長尺に形成されるとともに、正面に前記雨樋部材が取り付けられる固定板部と、この固定板部と一体形成されるとともに、該固定板部を前記鉛直面に固定した際に、前記屋根の軒先側端部の下面との間に、前記屋根裏空間と連通する空隙を形成するための通気部とを有する鼻隠本体と、
この鼻隠本体の通気部の空隙内に設置されるとともに、前記鼻隠本体の長さ方向に沿って長尺な中仕切り板とを備えており、
前記通気部は、前記雨樋部材の下部の屋根側面との間に所定の隙間をあけて配置されるとともに、この隙間に向かって開口することによって前記空隙と屋外とを連通する通気孔が長さ方向に沿って複数並設される正面板部を備えており、
前記中仕切り板は、前記正面板部と所定の隙間をあけて対向配置されるとともに、長さ方向に沿って通気孔が複数並設される対向板部を備えており、
これら正面板部と対向板部との間の隙間には、火災時に発泡して該隙間を塞ぐ防火発泡材が設けられていることを特徴とする軒先構造。
【請求項２】
請求項１に記載の軒先構造において、
前記鼻隠本体は、前記通気部の正面板部の上端部から前方に突出する突出部を備えていることを特徴とする軒先構造。
【請求項３】
請求項１または２に記載の軒先構造において、
前記通気部は、前記正面板部の下端部から建物側に延出する底板部と、この底板部の突出端部から上方に突出する背面板部とを備えており、
前記中仕切り板は、前記対向板部の下端部と一体形成されるとともに、前記底板部上に載置される載置板部と、この載置板部の建物側端部から前記通気部の背面板部に沿って上方に突出する突出板部とを備えており、
前記載置板部の、前記正面板部側の端部から該載置板部の建物側端部の突出板部までの長さは、前記通気部の正面板部の裏面から背面板部の裏面までの長さと略等しくなるように設定されていることを特徴とする軒先構造。
【請求項４】
請求項３に記載の軒先構造において、
前記防火発泡材は、前記載置板部の、前記対向板部よりも前記通気部の正面板部側の上面に設けられていることを特徴とする軒先構造。
【請求項５】
請求項１〜４のいずれか一項に記載の軒先構造において、
前記中仕切り板は、前記対向板部の上端部と一体形成されるとともに、該対向板部の上端部から前記鼻隠本体の固定板部の裏面に沿って上方に延出する延出板部を備えており、
この延出板部は、前記鼻隠本体の固定板部とともに前記屋根の軒先側端部の鉛直面に固定されていることを特徴とする軒先構造。
【請求項６】
請求項１〜５のいずれか一項に記載の軒先構造において、
前記鼻隠本体は、前記鉛直面に、この鉛直面の長さ方向に沿うようにして複数並設されており、
前記中仕切り板は、互いに隣接する鼻隠本体の通気部同士の裏面に沿って取り付けられることによって、これら互いに隣接する鼻隠本体同士を連結していることを特徴とする軒先構造。
【請求項７】
屋根の軒先側端部の鉛直面に、屋根裏空間と屋外とを連通する屋根裏換気用の鼻隠部材を取り付けてなる軒先構造において、
前記鼻隠部材は、前記鉛直面の長さ方向に沿って長尺に形成される固定板部と、この固定板部と一体形成されるとともに、該固定板部を前記鉛直面に固定した際に、前記屋根の軒先側端部の下面との間に、前記屋根裏空間と連通する空隙を形成するための通気部とを有する鼻隠本体と、
この鼻隠本体の通気部の空隙内に設置されるとともに、前記鼻隠本体の長さ方向に沿って長尺な中仕切り板と、
上部が前記固定板部の正面に取り付けられるとともに、下部の屋根側面が前記通気部との間に所定の隙間をあけて配置され、さらに前記鼻隠本体の長さ方向に沿って長尺な軒先化粧部と、を備えており、
前記通気部は、前記軒先化粧部との間の隙間に向かって開口することによって前記空隙と屋外とを連通する通気孔が長さ方向に沿って複数並設される正面板部を有しており、
前記中仕切り板は、前記正面板部と所定の隙間をあけて対向配置されるとともに、長さ方向に沿って通気孔が複数並設される対向板部を有しており、
これら正面板部と対向板部との間の隙間には、火災時に発泡して該隙間を塞ぐ防火発泡材が設けられていることを特徴とする軒先構造。
【発明の詳細な説明】
【技術分野】
【０００１】
本発明は、屋根の軒先側端部の鉛直面と、この鉛直面に設けられる雨樋部材との間に、屋根裏空間と屋外とを連通する屋根裏換気用の鼻隠部材を介在してなる軒先構造に関する。
【背景技術】
【０００２】
近年、鼻隠部材の下部の軒天井材側に複数の通気孔を設けるとともに、これら複数の通気孔から屋根裏へと通じる通気路内に、火災時に発泡して通気路を遮断する防火発泡材を設けて、屋根裏への火炎や熱の侵入を防止する軒先構造が提案されている（例えば、特許文献１参照）。
【先行技術文献】
【特許文献】
【０００３】
【特許文献１】特開２００７−２０４９７０号公報
【発明の概要】
【発明が解決しようとする課題】
【０００４】
ところが、特許文献１の軒先構造では、火災時に防火発泡材が発泡する際に、この防火発泡材が発泡する範囲が明確に定まっていないので、通気路を完全に遮断する前に、通気路を遮断する方向以外に向かって発泡する場合がある。このため、火災時において通気路をより遮断しやすい軒先構造の開発が望まれている。
また、特許文献１の軒先構造では、複数の通気孔が下方に向かって開口しているので、下方から軒先を見上げると、この換気孔自体が目に入るため外観上好ましくない。さらに、これら複数の通気孔から虫が通気路内に一旦侵入してしまうと、屋根裏までの間に虫の進行を妨げるものがないという問題もある。
【０００５】
本発明の課題は、火災時において通気路を確実かつ迅速に遮断できるとともに、外観性に優れ、かつ屋根裏への虫の侵入を防ぐことが可能な軒先構造を提供することを目的とする。
【課題を解決するための手段】
【０００６】
請求項１に記載の発明は、例えば図１〜図５に示すように、屋根１の軒先側端部の鉛直面２ａと、この鉛直面２ａに設けられる雨樋部材３との間に、屋根裏空間１ａと屋外とを連通する屋根裏換気用の鼻隠部材４，４０を介在してなる軒先構造において、
前記雨樋部材３の下部は、前記鉛直面２ａの下端部の高さ位置よりも下方に位置しており、
前記鼻隠部材４，４０は、前記鉛直面２ａの長さ方向に沿って長尺に形成されるとともに、正面に前記雨樋部材３が取り付けられる固定板部６，６０と、この固定板部６，６０と一体形成されるとともに、該固定板部６，６０を前記鉛直面２ａに固定した際に、前記屋根１の軒先側端部の下面との間に、前記屋根裏空間１ａと連通する空隙Ａを形成するための通気部７，７０とを有する鼻隠本体５，５０と、
この鼻隠本体５，５０の通気部７，７０の空隙Ａ内に設置されるとともに、前記鼻隠本体５，５０の長さ方向に沿って長尺な中仕切り板１１，１１０とを備えており、
前記通気部７，７０は、前記雨樋部材３の下部の屋根側面との間に所定の隙間Ｂをあけて配置されるとともに、この隙間Ｂに向かって開口することによって前記空隙Ａと屋外とを連通する通気孔７ｂ，７０ｂが長さ方向に沿って複数並設される正面板部７ａ，７０ａを備えており、
前記中仕切り板１１，１１０は、前記正面板部７ａ，７０ａと所定の隙間Ｃをあけて対向配置されるとともに、長さ方向に沿って通気孔１１ｂ，１１０ｂが複数並設される対向板部１１ａ，１１０ａを備えており、
これら正面板部７ａ，７０ａと対向板部１１ａ，１１０ａとの間の隙間Ｃには、火災時に発泡して該隙間Ｃを塞ぐ防火発泡材１２が設けられていることを特徴とする。
【０００７】
請求項１に記載の発明によれば、前記通気部７，７０は、前記雨樋部材３の下部の屋根側面との間に所定の隙間Ｂをあけて配置されるとともに、この隙間Ｂに向かって開口することによって前記空隙Ａと屋外とを連通する通気孔７ｂ，７０ｂが長さ方向に沿って複数並設される正面板部７ａ，７０ａを備えており、前記中仕切り板１１，１１０は、前記正面板部７ａ，７０ａと所定の隙間Ｃをあけて対向配置されるとともに、長さ方向に沿って通気孔１１ｂ，１１０ｂが複数並設される対向板部１１ａ，１１０ａを備えているので、通常時においては、前記正面板部７ａ，７０ａの通気孔７ｂ，７０ｂおよび対向板部１１，１１０の通気孔１１ｂ，１１０ｂを介して、前記通気部７，７０と前記雨樋部材３の下部の屋根側面との間の隙間Ｂと、前記通気部７，７０の空隙Ａ内との間で空気を流通させることができる。そして、前記通気部７，７０の空隙Ａは前記屋根裏空間１ａと連通しているので、前記正面板部７ａ，７０ａの通気孔７ｂ，７０ｂから前記屋根裏空間１ａに至る部分を通気路とすることができ、この通気路を介して、前記屋根裏空間１ａと屋外との間で空気を流通させることができる。
また、前記通気部７，７０の正面板部７ａ，７０ａと、前記中仕切り板１１，１１０の対向板部１１ａ，１１０ａとの間の隙間Ｃに、火災時に発泡して該隙間Ｃを塞ぐ防火発泡材１２が設けられているので、火災時において、前記防火発泡材１２は、他の方向に向かって発泡することなく、この隙間Ｃ内だけで発泡することになり、通気路を確実かつ迅速に遮断することが可能となる。
また、前記正面板部７ａ，７０ａに複数並設される通気孔７ｂ，７０ｂは、前記通気部７，７０と前記雨樋部材３の下部の屋根側面との間の隙間Ｂに向かって開口していることから、下方から軒先を見上げた際に前記通気孔７ｂ，７０ｂが見えにくくなるので、従来に比して外観性に優れる。
さらに、前記正面板部７ａ，７０ａと対向板部１１ａ，１１０ａとが互いに対向して配置されることで、前記通気部７，７０内と屋外との境界部分が二重構造となるので、従来に比して、前記正面板部７ａ，７０ａの通気孔７ｂ，７０ｂから侵入する虫の屋根裏空間１ａへの進行を妨げやすくなる。
【０００８】
請求項２に記載の発明は、例えば図１〜図５に示すように、請求項１に記載の軒先構造において、
前記鼻隠本体５，５０は、前記通気部７，７０の正面板部７ａ，７０ａの上端部から前方に突出する突出部８，８０を備えていることを特徴とする。
【０００９】
請求項２に記載の発明によれば、前記鼻隠本体５，５０は、前記通気部７，７０の正面板部７ａ，７０ａの上端部から前方に突出する突出部８，８０を備えているので、前記通気部７，７０と前記雨樋部材３の下部の屋根側面との間の隙間Ｂに吹き込む空気を、前記突出部８，８０の下面に沿って、前記正面板部７ａ，７０ａの通気孔７ｂ，７０ｂへと誘導することができ、屋根裏空間１ａの換気を確実に行うことができる。
また、下方から軒先を見上げた際に、前記通気部７，７０と前記雨樋部材３の下部の屋根側面との間の隙間Ｂから、前記雨樋部材３を前記屋根１の軒先側端部に取り付けるための取付金具３ａが見える場合に、前記突出部８，８０によって、この取付金具３ａを隠すことができるので、より外観性に優れる。
【００１０】
請求項３に記載の発明は、例えば図１〜図５に示すように、請求項１または２に記載の軒先構造において、
前記通気部７，７０は、前記正面板部７ａ，７０ａの下端部から建物側に延出する底板部７ｃ，７０ｃと、この底板部７ｃ，７０ｃの突出端部から上方に突出する背面板部７ｄ，７０ｄとを備えており、
前記中仕切り板１１，１１０は、前記対向板部１１ａ，１１０ａの下端部と一体形成されるとともに、前記底板部７ｃ，７０ｃ上に載置される載置板部１１ｃ，１１０ｃと、この載置板部１１ｃ，１１０ｃの建物側端部から前記通気部７，７０の背面板部７ｄ，７０ｄに沿って上方に突出する突出板部１１ｄ，１１０ｄとを備えており、
前記載置板部１１ｃ，１１０ｃの、前記正面板部７ａ，７０ａ側の端部から該載置板部１１ｃ，１１０ｃの建物側端部の突出板部１１ｄ，１１０ｄまでの長さは、前記通気部７，７０の正面板部７ａ，７０ａの裏面から背面板部７ｄ，７０ｄの裏面までの長さと略等しくなるように設定されていることを特徴とする。
【００１１】
請求項３に記載の発明によれば、前記載置板部１１ｃ，１１０ｃの、前記正面板部７ａ，７０ａ側の端部から該載置板部１１ｃ，１１０ｃの建物側端部の突出板部１１ｄ，１１０ｄまでの長さは、前記通気部７，７０の正面板部７ａ，７０ａの裏面から背面板部７ｄ，７０ｄの裏面までの長さと略等しくなるように設定されているので、前記載置板部１１ｃ，１１０ｃを、前記底板部７ｃ，７０ｃ上に載置するだけで、この載置板部１１ｃ，１１０ｃを、前記通気部７，７０の正面板部７ａ，７０ａの裏面から背面板部７ｄ，７０ｄの裏面の間に確実に納めることができるので、前記中仕切り板１１，１１０を、前記通気部７，７０の空隙Ａ内に容易かつ確実に設置することができる。
【００１２】
請求項４に記載の発明は、例えば図１〜図５に示すように、請求項３に記載の軒先構造において、
前記防火発泡材１２は、前記載置板部１１ｃ，１１０ｃの、前記対向板部１１ａ，１１０ａよりも前記通気部７，７０の正面板部７ａ，７０ａ側の上面に設けられていることを特徴とする。
【００１３】
請求項４に記載の発明によれば、前記防火発泡材１２は、前記載置板部１１ｃ，１１０ｃの、前記対向板部１１ａ，１１０ａよりも前記通気部７，７０の正面板部７ａ，７０ａ側の上面に設けられているので、火災時において、前記防火発泡材１２は、前記隙間Ｃ内を上方に向かって発泡することになり、前記通気路を、より確実かつ迅速に遮断することができる。
【００１４】
請求項５に記載の発明は、例えば図１〜図５に示すように、請求項１〜４のいずれか一項に記載の軒先構造において、
前記中仕切り板１１，１１０は、前記対向板部１１ａ，１１０ａの上端部と一体形成されるとともに、該対向板部１１ａ，１１０ａの上端部から前記鼻隠本体５，５０の固定板部６，６０の裏面に沿って上方に延出する延出板部１１ｅ，１１０ｅを備えており、
この延出板部１１ｅ，１１０ｅは、前記鼻隠本体５，５０の固定板部６，６０とともに前記屋根１の軒先側端部の鉛直面２ａに固定されていることを特徴とする。
【００１５】
請求項５に記載の発明によれば、前記延出板部１１ｅ，１１０ｅは、前記鼻隠本体５，５０の固定板部６，６０とともに前記屋根１の軒先側端部の鉛直面２ａに固定されているので、前記中仕切り板１１，１１０を、前記鼻隠本体５，５０とともに前記屋根１の軒先側端部の鉛直面２ａに強固に固定できるとともに、前記通気部７，７０の空隙Ａ内に、より確実に設置することができる。
【００１６】
請求項６に記載の発明は、例えば図１〜図５に示すように、請求項１〜５のいずれか一項に記載の軒先構造において、
前記鼻隠本体５，５、５０，５０は、前記鉛直面２ａに、この鉛直面２ａの長さ方向に沿うようにして複数並設されており、
前記中仕切り板１１，１１０は、互いに隣接する鼻隠本体５，５、５０，５０の通気部７，７、７０，７０同士の裏面に沿って取り付けられることによって、これら互いに隣接する鼻隠本体５，５、５０，５０同士を連結していることを特徴とする。
【００１７】
請求項６に記載の発明によれば、前記中仕切り板１１，１１０は、互いに隣接する鼻隠本体５，５、５０，５０の通気部７，７、７０，７０同士の裏面に沿って取り付けられることによって、これら互いに隣接する鼻隠本体５，５、５０，５０同士を連結しているので、これら互いに隣接する鼻隠本体５，５、５０，５０同士を確実に連結して連結強度を向上できるとともに、これら互いに隣接する鼻隠本体５，５、５０，５０間から雨水等が浸入することを防ぐことができる。
【００１８】
請求項７に記載の発明は、例えば図６に示すように、屋根１の軒先側端部の鉛直面２ａに、屋根裏空間１ａと屋外とを連通する屋根裏換気用の鼻隠部材１４０を取り付けてなる軒先構造において、
前記鼻隠部材１４０は、前記鉛直面２ａの長さ方向に沿って長尺に形成される固定板部１５１と、この固定板部１５１と一体形成されるとともに、該固定板部１５１を前記鉛直面２ａに固定した際に、前記屋根１の軒先側端部の下面との間に、前記屋根裏空間１ａと連通する空隙Ａを形成するための通気部１５２とを有する鼻隠本体１５０と、
この鼻隠本体１５０の通気部１５２の空隙Ａ内に設置されるとともに、前記鼻隠本体１５０の長さ方向に沿って長尺な中仕切り板１６０と、
上部１７１が前記固定板部１５１の正面に取り付けられるとともに、下部１７２の屋根側面が前記通気部１５２との間に所定の隙間Ｅをあけて配置され、さらに前記鼻隠本体１５０の長さ方向に沿って長尺な軒先化粧部１７０と、を備えており、
前記通気部１５２は、前記軒先化粧部１７０との間の隙間Ｅに向かって開口することによって前記空隙Ａと屋外とを連通する通気孔１５３ａが長さ方向に沿って複数並設される正面板部１５３を有しており、
前記中仕切り板１６０は、前記正面板部１５３と所定の隙間Ｃをあけて対向配置されるとともに、長さ方向に沿って通気孔１６１ａが複数並設される対向板部１６１を有しており、
これら正面板部１５３と対向板部１６１との間の隙間Ｃには、火災時に発泡して該隙間Ｃを塞ぐ防火発泡材１８０が設けられていることを特徴とする。
【００１９】
請求項７に記載の発明によれば、前記通気部１５２は、前記軒先化粧部１７０との間の隙間Ｅに向かって開口することによって前記空隙Ａと屋外とを連通する通気孔１５３ａが長さ方向に沿って複数並設される正面板部１５３を有しており、前記中仕切り板１６０は、前記正面板部１５３と所定の隙間Ｃをあけて対向配置されるとともに、長さ方向に沿って通気孔１６１ａが複数並設される対向板部１６１を有しているので、通常時においては、前記正面板部１５３の通気孔１５３ａおよび対向板部１６１の通気孔１６１ａを介して、前記通気部１５２と前記軒先化粧部１７０の下部１７２の屋根側面との間の隙間Ｅと、前記通気部１５２の空隙Ａ内との間で空気を流通させることができる。そして、前記通気部１５２の空隙Ａは前記屋根裏空間１ａと連通しているので、前記正面板部１５３の通気孔１５３ａから前記屋根裏空間１ａに至る部分を通気路とすることができ、この通気路を介して、前記屋根裏空間１ａと屋外との間で空気を流通させることができる。
また、前記通気１５２の正面板部１５３と、前記中仕切り板１６０の対向板部１６１との間の隙間Ｃに、火災時に発泡して該隙間Ｃを塞ぐ防火発泡材１８０が設けられているので、火災時において、前記防火発泡材１８０は、他の方向に向かって発泡することなく、この隙間Ｃ内だけで発泡することになり、通気路を確実かつ迅速に遮断することが可能となる。
また、前記正面板部１５３に複数並設される通気孔１５３ａは、前記通気部１５２と前記軒先化粧部１７０の下部１７２の屋根側面との間の隙間Ｅに向かって開口していることから、下方から軒先を見上げた際に前記通気孔１５３ａが見えにくくなるので、従来に比して外観性に優れる。
さらに、前記正面板部１５３と対向板部１６１とが互いに対向して配置されることで、前記通気部１５２内と屋外との境界部分が二重構造となるので、従来に比して、前記正面板部１５３の通気孔１５３ａから侵入する虫の屋根裏空間１ａへの進行を妨げやすくなる。
また、例えば寒冷地などにおいては、雪が雨樋部材上にも厚く積もり、その重みで雨樋部材が破損してしまう場合があるが、前記固定板部１５１の正面に、前記軒先化粧部１７０を取り付けて、雨樋部材を取り付けないようにしているので、寒冷地であっても確実に対応することができる。すなわち、寒冷地であっても、火災時において通気路を確実かつ迅速に遮断できるとともに、外観性に優れ、かつ屋根裏空間１ａへの虫の侵入を防ぐことが可能となる。
【発明の効果】
【００２０】
本発明によれば、鼻隠部材を構成する鼻隠本体の通気部は、雨樋部材の下部の屋根側面との間に所定の隙間をあけて配置されるとともに、この隙間に向かって開口することによって該通気部内の空隙と屋外とを連通する通気孔が長さ方向に沿って複数並設される正面板部を備えており、鼻隠部材を構成する中仕切り板は、正面板部と所定の隙間をあけて対向配置されるとともに、長さ方向に沿って通気孔が複数並設される対向板部を備えているので、通常時においては、正面板部の通気孔および対向板部の通気孔を介して、通気部と雨樋部材の下部の屋根側面との間の隙間と、通気部の空隙内との間で空気を流通させることができる。そして、通気部の空隙は屋根裏空間と連通しているので、正面板部の通気孔から屋根裏空間に至る部分を通気路とすることができ、この通気路を介して、屋根裏空間と屋外との間で空気を流通させることができる。
また、通気部の正面板部と、中仕切り板の対向板部との間の隙間に、火災時に発泡して該隙間を塞ぐ防火発泡材が設けられているので、火災時において、防火発泡材は、他の方向に向かって発泡することなく、この隙間内だけで発泡することになり、通気路を確実かつ迅速に遮断することが可能となる。
また、正面板部に複数並設される通気孔は、通気部と雨樋部材の下部の屋根側面との間の隙間に向かって開口していることから、下方から軒先を見上げた際に通気孔が見えにくくなるので、従来に比して外観性に優れる。
さらに、正面板部と対向板部とが互いに対向して配置されることで、通気部内と屋外との境界部分が二重構造となるので、従来に比して、正面板部の通気孔から侵入する虫の屋根裏空間への進行を妨げやすくなる。
【図面の簡単な説明】
【００２１】
【図１】本発明の軒先構造の実施の形態を示す側断面図である。
【図２】図１の軒先構造に用いられる鼻隠部材を示す斜視図である。なお、固定板部の上部を省略している。
【図３】図２に示す鼻隠部材の正面図である。なお、固定板部の上部を省略している。
【図４】図２に示す鼻隠部材の拡大側断面図である。なお、固定板部の上部を省略している。
【図５】本発明の軒先構造の他の実施の形態を示す側断面図である。
【図６】本発明の軒先構造の他の実施の形態を示す側断面図である。
【図７】本発明の軒先構造に採用される軒天井材付近の形態の一例を示す側断面図である。
【図８】本発明の軒先構造に採用される軒天井材付近の形態の一例を示す側断面図である。
【図９】本発明の軒先構造に採用される軒天井材付近の形態の一例を示す側断面図である。
【図１０】本発明の軒先構造に採用される軒天井材付近の形態の一例を示す側断面図である。
【図１１】本発明の軒先構造に採用される軒天井材付近の形態の一例を示す側断面図である。
【図１２】本発明の軒先構造に採用される軒天井材付近の形態の一例を示す側断面図である。
【図１３】本発明の軒先構造に採用される軒天井材付近の形態の一例を示す側断面図である。
【図１４】（ａ）は鼻隠本体同士の連結構造を示す斜視図であり、（ｂ）は鼻隠本体同士を連結するジョイナーを示す側面図である。
【発明を実施するための形態】
【００２２】
以下、図面を参照して本発明の実施の形態について説明する。
なお、本実施の形態の屋根１が設けられる建物は、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００２３】
また、このパネルとは、縦横の框材が矩形状に組み立てられるとともに、矩形枠の内部に補助桟材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
【００２４】
（第１の実施の形態）
本実施の形態の軒先構造は、図１〜図４に示すように、屋根１の軒先側端部の鉛直面２ａと、この鉛直面２ａに設けられる雨樋部材３との間に、屋根裏空間１ａと屋外とを連通する屋根裏換気用の鼻隠部材４を介在してなるものであり、前記雨樋部材３の下部は、前記鉛直面２ａの下端部の高さ位置よりも下方に位置している。
また、前記鼻隠部材４は、前記鉛直面２ａの長さ方向に沿って長尺に形成されるとともに、正面に前記雨樋部材３が取り付けられる固定板部６と、この固定板部６と一体形成されるとともに、該固定板部６を前記鉛直面２ａに固定した際に、前記屋根１の軒先側端部の下面との間に、前記屋根裏空間１ａと連通する空隙Ａを形成するための通気部７とを有する鼻隠本体５と、この鼻隠本体５の通気部７の空隙Ａ内に設置されるとともに、前記鼻隠本体５の長さ方向に沿って長尺な中仕切り板１１とを備えている。
また、前記通気部７は、前記雨樋部材３の下部の屋根側面との間に所定の隙間Ｂをあけて配置されるとともに、この隙間Ｂに向かって開口することによって前記空隙Ａと屋外とを連通する通気孔７ｂが長さ方向に沿って複数並設される正面板部７ａを備えている。
さらに、前記中仕切り板１１は、前記正面板部７ａと所定の隙間Ｃをあけて対向配置されるとともに、長さ方向に沿って通気孔１１ｂが複数並設される対向板部１１ａを備えている。
そして、これら正面板部７ａと対向板部１１ａとの間の隙間Ｃには、火災時に発泡して該隙間Ｃを塞ぐ防火発泡材１２が設けられている。
【００２５】
ここで、前記屋根１は、上述のように建築用パネルで構成された屋根パネルであり、この屋根パネルは、屋根１の勾配方向に沿って配置される垂木としての框材（図示せず）および補助桟材１ｃと、これら框材および補助桟材１ｃの軒先側端面に、該框材および補助桟材１ｃの長さ方向と直交するようにして配置される鼻板としての框材１ｂと、これら框材１ｂと補助桟材１ｃの上面に貼設される野地板としての面材１ｄとを備えている。
【００２６】
また、この屋根１は、軒先側端部が建物の外壁から所定間隔離間し、軒の出がある状態となっているため、屋根１の軒先側端部から建物の外壁まで、図示しない軒天井材が架設されるようになっている。
【００２７】
さらに、前記鼻板としての框材１ｂの下面には、この框材１ｂの長さ方向に沿って複数の切欠部Ｄが形成されており、この切欠部Ｄを介して空気が通過し、前記通気部７の空隙Ａと屋根裏空間１ａとを連通した状態となっている。
【００２８】
また、前記通気部７の空隙Ａは、前記切欠部Ｄを介して前記屋根裏空間１ａと連通しているので、前記正面板部７ａの通気孔７ｂから前記屋根裏空間１ａに至る部分を通気路とすることができ、この通気路を介して、前記屋根裏空間１ａと屋外との間で空気を流通させることができる。
この通気路は、前記通気孔７ｂの屋外側に位置する、前記通気部７と前記雨樋部材３の下部の屋根側面との間の隙間Ｂから、前記正面板部７ａと対向板部１１ａとの間の隙間Ｃを経て、さらに、前記通気部７の空隙Ａを経て、前記框材１ｂの下面に形成された切欠部Ｄまでの連続する空間を指しているものとする。
したがって、屋外からの空気は、図１に示すように、前記隙間Ｂから、前記通気孔７ｂを介して隙間Ｃまで達し、この隙間Ｃから、前記通気孔１１ｂを介して空隙Ａまで達し、この空隙Ａから、前記切欠部Ｄを介して屋根裏空間１ａへと至るようにして、この屋根裏空間１ａへと流入することとなる。
【００２９】
また、図１に示すように、前記面材１ｄの上面には、複数の屋根材１ｅが葺かれており、これら複数の屋根材１ｅのうち最下方に位置する屋根材１ｅと面材１ｄとの間には、後述する固定板部６の上部６ａが引っ掛けられる引掛部材１ｆが設けられている。また、前記屋根１の妻側には破風板１ｇが設けられている。
【００３０】
また、前記鼻板としての框材１ｂの軒先側端面には、屋根１の角度を考慮して形成されるとともに、屋根１の軒先側端部に鉛直面２ａを形成する調整材２が設けられている。
このような調整材２によって、例えば１／１や１／１．５、１／２・・・等、様々な傾斜角度に設定された屋根でもそれぞれの軒先側端部に鉛直面２ａを形成できる。なお、本実施の形態の屋根１は１／２の傾斜角度に設定されている。
【００３１】
前記雨樋部材３は、図１に示すように、この雨樋部材３と接続される取付金具３ａおよび前記鼻隠部材４を介して、前記調整材２に取り付けられている。
また、前記取付金具３ａは、止着材３ｂを、前記鼻隠部材４を介して前記調整材２にねじ込むことで、この調整材２に固定されている。
【００３２】
前記鼻隠部材４は、図１〜図４に示すように、前記屋根１の軒先側端部に固定される鼻隠本体５と、この鼻隠本体５の内部に設置される前記中仕切り板１１とからなる。
これら鼻隠本体５および中仕切り板１１は、鋼板を折曲・穴あけ加工したものであり、前記鉛直面２ａの長さ方向に沿って長尺に形成されている。
【００３３】
前記鼻隠本体５は、上述のように、前記固定板部６と、この固定板部６に一体形成される通気部７とを備えている。
前記固定板部６は、前記鉛直面２ａに固定される板材であり、この固定板部６の上部６ａはフック状に形成されており、図１に示すように、前記面材１ｄと屋根材１ｅとの間に設けられた引掛部材１ｆに引っ掛けられている。
前記通気部７は、前記正面板部７ａと、この正面板部７ａの下端部から建物側に延出する底板部７ｃと、この底板部７ｃの突出端部から上方に突出する背面板部７ｄとを備えている。
【００３４】
また、前記正面板部７ａに形成される通気孔７ｂは、上述のように前記隙間Ｂに向かって開口することによって前記空隙Ａと屋外とを連通するものである。
この通気孔７ｂは、前記隙間Ｂに面する第１開口部７ｂ１と、この第１開口部７ｂ１に対して前記空隙Ａ側に後退した位置で対向配置される遮蔽壁７ｂ２と、これら第１開口部７ｂ１および遮蔽壁７ｂ２の左右両側にそれぞれ開口する第２開口部７ｂ３とを備えている。したがって、この通気孔７ｂから入り込もうとする雨水や虫は、前記第１開口部７ｂ１から入った後に、前記遮蔽壁７ｂ２に当たることになる。
【００３５】
また、この鼻隠本体５は、前記通気部７の正面板部７ａの上端部から前方に突出する突出部８を備えている。なお、この突出部８は、前記雨樋部材３の下部の近傍まで突出している。
本実施の形態の突出部８は、前記通気部７の正面板部７ａの上端部と、前記固定板部６の下端部とに一体形成されている。すなわち、前記通気部７は、この突出部８を介して前記固定板部６と一体形成されることになる。
【００３６】
これによって、前記通気部７と前記雨樋部材３の下部の屋根側面との間の隙間Ｂに吹き込む空気を、前記突出部８の下面に沿って、前記正面板部７ａの通気孔７ｂｂへと誘導することができ、屋根裏空間１ａの換気を確実に行うことができる。
また、前記突出部８，８０によって、下方から軒先を見上げた際に、前記通気部７と前記雨樋部材３の下部の屋根側面との間の隙間Ｂから、前記取付金具３ａが見えないように隠すことができる。
【００３７】
さらに、本実施の形態の鼻隠本体５は、図１〜図４に示すように、前記通気部７の背面板部７ｄと一体形成されるとともに、側断面視において略Ｌ字状に折曲形成されるＬ字状板部９と、このＬ字状板部９の上端部と一体形成されるとともに、前記屋根１の傾斜方向に沿って該屋根１の下面に当接する傾斜板部１０とを備えている。
前記Ｌ字状板部９の水平方向に配置される板材の上面には、図示しない軒天井材の軒先側端部が載置される。
また、前記傾斜板部１０は前記屋根１の垂木としての框材および補助桟材１ｃに、止着材１０ａによって固定されている。
【００３８】
なお、本実施の形態の通気部７は、図１に示すように、前記固定板部６を前記鉛直面２ａに固定した際に、前記屋根１の軒先側端部の下面との間に、前記屋根裏空間１ａと連通する前記空隙Ａを形成するものである。
すなわち、この通気部７は、前記突出部８を介して、前記調整材２に固定された固定板部６と一体形成されており、前記Ｌ字状板部９を介して、前記屋根１の下面に固定された傾斜板部１０と一体形成されている。また、前記正面板部７ａは、前記鉛直面２ａの下端部の高さ位置よりも下方に位置する雨樋部材３の下部の屋根側面との間に前記隙間Ｂを形成する構成となっている。
したがって、前記通気部７は、前記屋根１の軒先側端部の下面との間に、前記正面板部７ａと底板部７ｂと背面板部７ｃとで囲まれたスペースを形成できるようになっている。このスペースが前記空隙Ａである。
【００３９】
さらに、本実施の形態においては、前記通気部７の下面と前記雨樋部材３の下面とが、略等しい高さ位置に配置されるように設定されている。これによって、下から軒先を見上げた際に、別部材である雨樋部材３と鼻隠部材４とが、前記隙間Ｂを介して連続する一部材として見えるので、これら雨樋部材３と鼻隠部材４との一体感を高めることができ、より外観性に優れるものとなる。
【００４０】
一方、前記中仕切り板１１は、図１〜図４に示すように、前記対向板部１１ａと、この対向板部１１ａの下端部と一体形成されるとともに、前記通気部７の底板部７ｃ上に載置される載置板部１１ｃと、この載置板部１１ｃの建物側端部から前記通気部７の背面板部７ｄに沿って上方に突出する突出板部１１ｄとを備えている。
【００４１】
また、前記載置板部１１ｃの、前記正面板部７ａ側の端部から該載置板部１１ｃの建物側端部の突出板部１１ｄまでの長さは、前記通気部７の正面板部７ａの裏面から背面板部７ｄの裏面までの長さと略等しくなるように設定されている。
これによって、前記載置板部１１ｃを、前記底板部７ｃ上に載置するだけで、この載置板部１１ｃを、前記通気部７の正面板部７ａの裏面から背面板部７ｄの裏面の間に確実に納めることができるので、前記中仕切り板１１を、前記通気部７の空隙Ａ内に容易かつ確実に設置することができる。
【００４２】
さらに、前記中仕切り板１１は、前記対向板部１１ａの上端部と一体形成されるとともに、該対向板部１１ａの上端部から前記鼻隠本体５の固定板部６の裏面に沿って上方に延出する延出板部１１ｅを備えている。
また、この延出板部１１ｅは、前記鼻隠本体５の固定板部６とともに前記屋根１の軒先側端部の鉛直面２ａに固定されており、前記中仕切り板１１を、前記鼻隠本体５とともに前記屋根１の軒先側端部の鉛直面２ａに強固に固定できるとともに、前記通気部７の空隙Ａ内に、より確実に設置することができる。
すなわち、この延出板部１１ｅは、前記固定板部６とともに、前記雨樋部材３を前記調整材２に固定するための止着材によって、前記調整材２に固定されている。
【００４３】
また、前記対向板部１１ａに形成される複数の通気孔１１ｂは、この対向板部１１ａを表側から裏側に向かって貫通するものである。
なお、この通気孔１１ｂを、前記通気部７の正面板部７ａの通気孔７ｂと同様に、第１開口部や遮蔽壁を備える構成としてもよく、適宜変更可能である。また、本実施の形態のように単に孔を開けただけの構成としても、前記正面板部７ａと対向板部１１ａとで二重構造となる部分であるから、十分に雨水の浸入や虫の侵入を防ぐことができる。
【００４４】
一方、前記防火発泡材１２は、例えばグラファイト系材料からなり、約２００度以上に熱せられると発泡し、例えば２〜３ｍｍ厚のもので約１５〜２０倍に膨張する。
このような防火発泡材１２が、前記正面板部７ａと対向板部１１ａとの間の隙間Ｃに設けられている。
【００４５】
なお、本実施の形態においては、前記載置板部１１ｃの、前記対向板部１１ａよりも前記通気部７の正面板部７ａ側の上面に、この防火発泡材１２が設けられており、この防火発泡材１２は、火災時において、前記隙間Ｃ内を上方に向かって発泡することになる。
つまり、この防火発泡材１２が発泡する際は、上方に向かって発泡するだけなので、他の方向に向かって発泡せずに、前記通気路を確実かつ迅速に遮断することができる。
【００４６】
一方、本実施の形態の中仕切り板１１は、前記鉛直面２ａに、この鉛直面２ａの長さ方向に沿うようにして複数並設される鼻隠本体５，５の通気部７，７同士の裏面に沿って取り付けられることによって、これら互いに隣接する鼻隠本体５，５同士を連結するジョイナーとして用いることができる。
すなわち、図２に示すように、隣接する鼻隠本体５，５同士の長さは同一の長さに設定されており、前記中仕切り板１１，１１は、隣接する一方の中仕切り板１１の長さが長く、隣接する他方の中仕切り板１１の長さが短くなるように設定されている。
これによって、互いに隣接する鼻隠本体５，５同士を確実に連結して連結強度を向上できるとともに、これら互いに隣接する鼻隠本体５，５間から雨水等が浸入することを防ぐことができる。
【００４７】
これに伴って、前記中仕切り板１１の載置板部１１ｃの、前記対向板部１１ａよりも前記通気部７の正面板部７ａ側の上面に設けられた防火発泡材１２も、長さ方向に沿って隣接する一方の防火発泡材１２の長さが長く、隣接する他方の防火発泡材１２の長さが短くなるように設定されている。
これによって、火災時における火炎や熱が、前記互いに隣接する鼻隠本体５，５間から内部へと侵入することを防ぐことができる。
【００４８】
本実施の形態によれば、前記通気部７は、前記雨樋部材３の下部の屋根側面との間に所定の隙間Ｂをあけて配置されるとともに、この隙間Ｂに向かって開口することによって前記空隙Ａと屋外とを連通する通気孔７ｂが長さ方向に沿って複数並設される正面板部７ａを備えており、前記中仕切り板１１は、前記正面板部７ａと所定の隙間Ｃをあけて対向配置されるとともに、長さ方向に沿って通気孔１１ｂが複数並設される対向板部１１ａを備えているので、通常時においては、前記正面板部７ａの通気孔７ｂおよび対向板部１１の通気孔１１ｂを介して、前記通気部７と前記雨樋部材３の下部の屋根側面との間の隙間Ｂと、前記通気部７の空隙Ａ内との間で空気を流通させることができる。そして、前記通気部７の空隙Ａは前記屋根裏空間１ａと連通しているので、前記正面板部７ａの通気孔７ｂから前記屋根裏空間１ａに至る部分を通気路とすることができ、この通気路を介して、前記屋根裏空間１ａと屋外との間で空気を流通させることができる。
また、前記通気部７の正面板部７ａと、前記中仕切り板１１の対向板部１１ａとの間の隙間Ｃに、火災時に発泡して該隙間Ｃを塞ぐ防火発泡材１２が設けられているので、火災時において、前記防火発泡材１２は、他の方向に向かって発泡することなく、この隙間Ｃ内だけで発泡することになり、通気路を確実かつ迅速に遮断することが可能となる。
また、前記正面板部７ａに複数並設される通気孔７ｂは、前記通気部７と前記雨樋部材３の下部の屋根側面との間の隙間Ｂに向かって開口していることから、下方から軒先を見上げた際に前記通気孔７ｂが見えにくくなるので、従来に比して外観性に優れる。
さらに、前記正面板部７ａと対向板部１１ａとが互いに対向して配置されることで、前記通気部７内と屋外との境界部分が二重構造となるので、従来に比して、前記正面板部７ａの通気孔７ｂから侵入する虫の屋根裏空間１ａへの進行を妨げやすくなる。
【００４９】
（第２の実施の形態）
次に、図面を参照して本発明の第２の実施の形態について説明する。なお、説明の便宜上、上述した第１の実施の形態とは異なる構成部分のみについて説明する。
【００５０】
本実施の形態の屋根１は、図５に示すように、軒先側端部が建物の外壁１３から離間せずに、軒の出がない状態となっている。
すなわち、屋根１の軒先側端部の鉛直面２ａと、この鉛直面２ａに設けられる雨樋部材３との間に介在する鼻隠部材４０が前記外壁１３に近接している。
【００５１】
本実施の形態の鼻隠部材４０は、前記鉛直面２ａの長さ方向に沿って長尺に形成されるとともに、正面に前記雨樋部材３が取り付けられる固定板部６０と、この固定板部６０と一体形成されるとともに、該固定板部６０を前記鉛直面２ａに固定した際に、前記屋根１の軒先側端部の下面との間に、前記屋根裏空間１ａと連通する空隙Ａを形成するための通気部７０とを有する鼻隠本体５０と、
この鼻隠本体５０の通気部７０の空隙Ａ内に設置されるとともに、前記鼻隠本体５０の長さ方向に沿って長尺な中仕切り板１１０とを備えている。
【００５２】
また、前記通気部７０は、前記雨樋部材３の下部の屋根側面との間に所定の隙間Ｂをあけて配置されるとともに、この隙間Ｂに向かって開口することによって前記空隙Ａと屋外とを連通する通気孔７０ｂが長さ方向に沿って複数並設される正面板部７０ａと、この正面板部７０ａの下端部から建物側に延出する底板部７０ｃと、この底板部７０ｃの突出端部から上方に突出する背面板部７０ｄとを備えている。
この通気部７０は、前記背面板部７０ｄの上端部が前記屋根１に到達しない高さに設定されている。
【００５３】
さらに、前記中仕切り板１１０は、前記正面板部７０ａと所定の隙間Ｃをあけて対向配置されるとともに、長さ方向に沿って通気孔１１０ｂが複数並設される対向板部１１０ａと、この対向板部１１０ａの下端部と一体形成されるとともに、前記底板部７０ｃ上に載置される載置板部１１０ｃと、この載置板部１１０ｃの建物側端部から前記通気部７０の背面板部７０ｄに沿って上方に突出する突出板部１１０ｄとを備えている。
【００５４】
そして、これら正面板部７０ａと対向板部１１０ａとの間の隙間Ｃには、火災時に発泡して該隙間Ｃを塞ぐ防火発泡材１２が設けられている。つまり、前記載置板部１１０ｃの、前記対向板部１１０ａよりも前記通気部７０の正面板部７０ａ側の上面に、この防火発泡材１２が設けられている。
【００５５】
なお、前記外壁１３は、上述のように建築用パネルで構成された壁パネルであり、この壁パネルは、横方向の框材１ａと、縦方向の框材（図示せず）および補助桟材１ｂと、これら框材１ｂと補助桟材１ｃの表裏面に貼設される面材１ｄとを備えている。
また、屋外側に貼設される面材１ｂの屋外側の表面には、この面材１ｂの屋外側表面から所定間隔離間するようにして外壁材１３ｃが取り付けられている。
さらに、この外壁１３の上端部には、前記屋根１の傾斜角度に合わせて形成された勾配調整材１３ｅが取り付けられている。
【００５６】
また、前記屋外側に貼設された面材１ｂの屋外側表面には、前記外壁１３の幅方向に沿って長尺な下地材１４が設けられている。この下地材１４の下端部は、前記外壁１３の上端部と、前記面材１ｂの外壁側表面との間に挟まれており、前記外壁１３の上端部近傍に固定されている。
【００５７】
また、この下地材１４には、前記鼻隠部材４０の通気部７０の背面板部７０ｄが嵌め込まれる受け金具１５が、止着材１５ａによって取付固定されている。
この受け金具１５は、前記下地材１４に固定されるとともに、前記鼻隠部材４０側に向かって開口する凹状部１５ｂを備えており、この凹状部１５ｂの内側面の上面側から下面側までの間隔の長さは、前記通気部７０の背面板部７０ｄの高さ寸法と略等しくなるように設定されている。
【００５８】
すなわち、本実施の形態の通気部７０は、図５に示すように、前記受け金具１５および下地材１４を介して、前記外壁１３および勾配調整材１３ｅと連続している。
したがって、本実施の形態の通気部７０は、前記屋根１の軒先側端部の下面との間に、前記外壁１３と下地材１４と受け金具１５とを介して、前記正面板部７０ａと、前記底板部７０ｃと、前記背面板部７０ｄと、前記受け金具１５とで囲まれたスペースを形成できるようになっている。このスペースが前記空隙Ａである。
【００５９】
本実施の形態によれば、第１の実施の形態と同じ効果を得ることができるだけでなく、軒の出がない状態であっても、前記屋根裏空間１ａと屋外との間で空気を確実に流通させることができるるとともに、火災時においても、前記防火発泡材１２によって通気路を確実かつ迅速に遮断することが可能となる。
【００６０】
（第３の実施の形態）
次に、図面を参照して本発明の第３の実施の形態について説明する。なお、説明の便宜上、上述した第１および第２の実施の形態とは異なる構成部分のみについて説明する。
ところで、例えば寒冷地などにおいては、雪が雨樋部材上にも厚く積もり、その重みで雨樋部材が破損してしまう場合がある。本実施の形態の軒先構造は、このような問題を解決し得るものである。
【００６１】
本実施の形態の軒先構造は、図６に示すように、屋根１の軒先側端部の鉛直面２ａに、屋根裏空間１ａと屋外とを連通する屋根裏換気用の鼻隠部材１４０を取り付けてなる。
この鼻隠部材１４０は、前記鉛直面２ａの長さ方向に沿って長尺に形成される固定板部１５１と、この固定板部１５１と一体形成されるとともに、該固定板部１５１を前記鉛直面２ａに固定した際に、前記屋根１の軒先側端部の下面との間に、前記屋根裏空間１ａと連通する空隙Ａを形成するための通気部１５２とを有する鼻隠本体１５０と、
この鼻隠本体１５０の通気部１５２の空隙Ａ内に設置される中仕切り板１６０と、
上部１７１が前記固定板部１５１の正面に取り付けられるとともに、下部１７２の屋根側面が前記通気部１５２との間に所定の隙間Ｅをあけて配置される軒先化粧部１７０と、を備えている。
【００６２】
また、前記通気部１５２は、前記軒先化粧部１７０との間の隙間Ｅに向かって開口することによって前記空隙Ａと屋外とを連通する通気孔１５３ａが長さ方向に沿って複数並設される正面板部１５３を有している。
また、前記中仕切り板１６０は、前記正面板部１５３と所定の隙間Ｃをあけて対向配置されるとともに、長さ方向に沿って通気孔１６１ａが複数並設される対向板部１６１を有している。
さらに、これら正面板部１５３と対向板部１６１との間の隙間Ｃには、火災時に発泡して該隙間Ｃを塞ぐ防火発泡材１８０が設けられている。
【００６３】
前記軒先化粧部１７０は、前記上部１７１と下部１７２とからなり、上部１７１は、前記固定板部１５１の長さ方向に沿って長尺かつ平板状に形成されている。
また、下部１７２は前記上部１７１と一体形成されており、前記上部１７１の下端部から斜めに前方に向かって延出する傾斜板部１７２ａと、この傾斜板部１７２ａの下端部から垂直下方に延出する垂直板部１７２ｂと、この垂直板部１７２ｂの下端部から建物側に向かって水平に延出する水平板部１７２ｃと、この水平板部１７２ｃの建物側端部から垂直上方に延出する建物側垂直板部１７２ｄと、この建物側垂直板部１７２ｄの上端部から斜め上方に延出して、前記通気部１５２の一部の上面に載置される載置板部１７２ｅとを有している。
【００６４】
なお、前記載置板部１７２ｅが載置される通気部１５２の一部は、前記通気部１５２の正面板部１５３の上端部から前方に突出する突出部１５４である。
また、前記水平板部１７２ｃの下面と、前記通気部１５２の下面とは、略等しい高さに位置しており、前記通気部１５２と軒先化粧部１７０とに一体感を持たせることができ、外観性に優れる。
【００６５】
本実施の形態によれば、第１および第２の実施の形態と同じ効果を得ることができるだけでなく、前記固定板部１５１の正面に、前記軒先化粧部１７０を取り付けて、雨樋部材を取り付けないようにしているので、例えば寒冷地であっても確実に対応することができる。すなわち、寒冷地であっても、火災時において通気路を確実かつ迅速に遮断できるとともに、外観性に優れ、かつ屋根裏空間１ａへの虫の侵入を防ぐことが可能となる。
【００６６】
（軒先構造に採用される軒天井材付近の形態）
次に、図面を参照して本発明の軒先構造に採用される軒天井材付近の形態について説明する。なお、この軒天井材付近の形態の説明においては、説明の便宜上、第１の実施の形態で使用された符号を用いるとともに、第１の実施の形態と異なる構成部分に新たな符号を与えるものとし、その第１の実施の形態と異なる構成部分について説明する。
【００６７】
前記屋根１は、軒先側端部が建物の外壁１３から所定間隔離間し、軒の出がある状態となっている。このため、図７〜図１３に示すように、屋根１の軒先側端部から建物の外壁１３まで軒天井材１６，１７，２３，２４が架設されている。
図７〜図１０に示す軒天井材１６，１７は、屋根１の軒先側端部から建物の外壁１３まで水平に架設され、図１１〜図１３に示す軒天井材２３，２４は、屋根１の軒先側端部から建物の外壁１３まで、屋根１の勾配に沿って傾斜するようにして架設されている。
また、これら軒天井材１６，１７，２３，２４が設けられる軒先構造は、屋根１の軒先側端部の鉛直面２ａと、この鉛直面２ａに設けられる雨樋部材３との間に、屋根裏空間１ａと屋外とを連通する屋根裏換気用の鼻隠部材４を介在してなるものである。
なお、このような軒天井材１６，１７，２３，２４は、屋根１の軒先側端部の鉛直面２ａに、屋根裏空間１ａと屋外とを連通する屋根裏換気用の鼻隠部材１４０を取り付けてなる軒先構造にも採用できるものとする。
【００６８】
まず、図７および図８に示す軒天井材１６は、屋根１の垂木（例えば前記補助桟材１ｃ）の軒先側端部に取り付けられる吊木１８と、この吊木１８の下端部と同じ高さに位置する外壁１３とにそれぞれ固定された野縁１９，１９の下面に固定されている。
この時、前記軒天井材１６の屋外側端部は、前記鼻隠本体５のＬ字状板部９の上面に載置されている。
なお、前記吊木１８や野縁１９、軒天井材１６の固定は、釘等の止着材が用いられている。
また、前記野縁１９は、一本一本バラの状態で用いてもよいし、予め格子枠状に組んだ状態で用いても良いものとする。
【００６９】
また、図８に示す軒天井材１６の上面には断熱材２０が設けられている。このように断熱材２０を前記軒天井材１６の上面に設けることによって、例えば軒天井材１６の下方で火災が発生した際に、前記断熱材２０によって火災の熱を断熱して、この火災の熱によって軒裏の温度が高温になることを確実に防ぐことができるので、前記軒天井材１６付近の防火性能を向上させることができる。
なお、前記断熱材２０は、間隔をおいて隣り合う野縁１９，１９の間と、前記軒天井材１６と前記傾斜板部１０との間にそれぞれ設けられている。
【００７０】
また、建物によっては軒の出が比較的長い場合がある。このような場合は、図９および図１０に示すように、屋根１の軒先側端部から建物の外壁１３までの長さに合わせた軒天井材１７が用いられている。
ここで、このように屋根１の軒先側端部から建物の外壁１３までの長さに合わせた軒天井材１７を用いると、長さが長いために中間部分が撓む場合があることから、このような軒天井材１７の撓みを確実に防ぎたいという要望がある。
【００７１】
そこで、図９に示すように、前記軒天井材１７の中間に位置する部分に野縁１９が追加設置されるとともに、この野縁１９を吊り下げるための補助吊木２１が、前記屋根１の垂木に取り付けられている。
すなわち、この補助吊木２１は前記吊木１８よりも長さが長く設定され、この補助吊木２１の下端部には前記追加した野縁１９が固定されており、この補助吊木２１に固定された野縁１９と、前記屋根１の軒先側端部付近の野縁１９と、前記外壁１３に固定される野縁１９とに対して前記軒天井材１７が固定されている。
これによって、前記軒天井材１７が軒の出に合わせて比較的長い場合であっても、その撓みを確実に防ぐことができる。
【００７２】
また、図９に示す方法とは別の方法で軒天井材１７の撓みを防止してもよい。
すなわち、図１０に示すように、前記軒天井材１７の中間部分に野縁１９が追加設置されるとともに、この野縁１９と、前記屋根１の軒先側端部付近に位置する野縁１９と、前外壁１３に固定される野縁１９とに、これら野縁１９，１９，１９に直交する補強用野縁２２が架設固定されている。
この補強用野縁２２は、前記屋根１の軒先側端部付近に位置する野縁１９から、前記外壁１３に固定される野縁１９までの長さに設定されており、前記各野縁１９，１９，１９の上面に載置されて、釘等の止着材によって固定されている。
このように各野縁１９，１９，１９に補強用野縁２２を固定して野縁１９の補強を行ったうえで、前記軒天井材１７が、前記各野縁１９，１９，１９の下面に固定されるので、前記軒天井材１７が軒の出に合わせて比較的長い場合であっても、その撓みを確実に防ぐことができる。
【００７３】
また、図９および図１０に示すように、間隔をおいて隣り合う野縁１９，１９，１９間と、前記軒天井材１７と前記傾斜板部１０との間に、断熱材２０がそれぞれ設けられている。
【００７４】
なお、以上の説明において、前記外壁１３に野縁１９を固定する際に、この野縁１９は、前記外壁１３の外壁材１３ｄの表面から止着材によって固定されているが、これに限るものではない。つまり、外壁材１３ｄの裏側に設けられる胴縁材１３ｆに前記野縁１９を固定し、この野縁１９に対して前記軒天井材１６，１７を固定してから、前記外壁材１３ｄを、上端部を前記軒天井材１６，１７の下面に当接するようにして前記胴縁材１３ｆに取り付けるようにしてもよい。
すなわち、前者の場合は、外壁材１３ｄに対して野縁１９を当接させてから固定するので、外壁材勝ちの納まりとなっており、後者の場合は、胴縁材１３ｆに固定された野縁１９の下面に軒天井材１６，１７を固定し、その軒天井材１６，１７の下面に前記外壁材１３ｄの上端部が当接するので、軒天井材勝ちの納まりとなっている。そして、前記外壁１３に対して野縁１９を固定する際は、前者の納まりを採用してもよいし、後者の納まりを採用してもよい。
【００７５】
一方、図１１〜図１３に示す軒天井材２３，２４は、屋根１の垂木と直交するとともに、この垂木の軒先側端部付近と外壁１３側とにそれぞれ設けられる軒天下地材２５，２５（，２５）に対して固定されている。
また、これら軒天下地材２５，２５（，２５）間には、前記屋根１の軒先側端部付近から、前記外壁１３までの長さに設定された添木２６が、前記軒天下地材２５，２５（，２５）の上面に載置されるようにして架設固定されている。すなわち、前記軒天下地材２５，２５（，２５）は、前記垂木の下面と、前記添木２６の下面とに固定されていることになる。
この時、前記軒天井材２３，２４の屋外側端部は、前記鼻隠本体５のＬ字状板部９の上方に位置している。
なお、前記軒天下地材２５や、軒天井材２３，２４、添木２６の固定は、釘等の止着材が用いられている。
【００７６】
また、前記添木２６は、前記屋根１の垂木の側面に当接されるとともに、この垂木に固定されており、このような添木２６の下面と前記垂木の下面とに前記軒天下地材２５，２５（，２５）が固定され、さらに、これら軒天下地材２５，２５（，２５）の下面に前記軒天井材２３，２４が固定されているので、この軒天井材２３，２４を確実かつ十分に固定できる。
なお、このように添木２６は、前記屋根１の垂木の側面に当接されるとともに、この垂木に固定されているとしたが、これに限られるものではなく、前記垂木の側面から所定の間隔をあけて配置されることで、前記軒天下地材２５，２５（，２５）の補強用として用いられてもよい。
【００７７】
また、図１２に示す軒天井材２３の上面には断熱材２７が設けられている。このように断熱材２７を前記軒天井材２３の上面に設けることによって、例えば軒天井材２３の下方で火災が発生した際に、前記断熱材２７によって火災の熱を断熱して、この火災の熱によって軒裏の温度が高温になることを確実に防ぐことができるので、前記軒天井材２３付近の防火性能を向上させることができる。
なお、前記断熱材２７は、間隔をおいて隣り合う軒天下地材２５，２５の間と、前記軒天井材２３と前記傾斜板部１０との間にそれぞれ設けられている。また、この断熱材２７の厚みは、前記軒天下地材２５の厚みと略等しくなるように設定されている。
【００７８】
また、建物によっては軒の出が比較的長い場合がある。このような場合は、図１３に示すように、屋根１の軒先側端部から建物の外壁１３までの長さに合わせた軒天井材２４が用いられている。
ここで、このように屋根１の軒先側端部から建物の外壁１３までの長さに合わせた軒天井材２４を用いると、長さが長いために中間部分が撓む場合があることから、このような軒天井材２４の撓みを確実に防ぎたいという要望がある。
【００７９】
そこで、図１３に示すように、前記軒天井材２４の中間に位置する部分に軒天下地材２５が追加設置されており、前記軒天井材２４は、この追加された軒天下地材２５と、前記屋根１の軒先側端部付近の軒天下地材２５と、前記外壁１３付近の軒天下地材２５とに固定されている。
これによって、前記軒天井材２４が軒の出に合わせて比較的長い場合であっても、その撓みを確実に防ぐことができる。
【００８０】
また、図１３に示すように、間隔をおいて隣り合う軒天下地材２５，２５，２５間と、前記軒天井材２４と前記傾斜板部１０との間に、断熱材２７がそれぞれ設けられている。
【００８１】
（鼻隠本体同士の連結構造）
【００８２】
次に、図面を参照して本発明の軒先構造に採用される鼻隠本体５，５同士の連結構造について説明する。なお、この鼻隠本体５，５同士の連結構造の説明においては、説明の便宜上、第１の実施の形態で使用された符号を用いるとともに、第１の実施の形態と異なる構成部分に新たな符号を与えるものとし、その第１の実施の形態と異なる構成部分について説明する。
【００８３】
前記鼻隠部材４は、前記鉛直面２ａの長さ方向に沿って設けられるものであり、前記鉛直面２ａの長さが長ければ、鼻隠本体５を長さ方向に沿って複数連結させて、前記鉛直面２ａの長さに対応させる必要がある。
すなわち、前記複数の鼻隠本体５，５間には、図１４（ａ），（ｂ）に示すように、これら複数の鼻隠本体５，５を連結するためのジョイナー２８が設けられている。
【００８４】
このジョイナー２８は、前記鼻隠本体５の内側に差し込まれるようにして用いられており、隣り合う鼻隠本体５，５の双方の内側に差し込まれることで、これら隣り合う鼻隠本体５，５同士を連結している。
また、このジョイナー２８は、前記鼻隠本体５の固定板部６の裏面に沿う第１垂直板部２８ａと、
この第１垂直板部２８ａの下端部に一体形成されるとともに前記固定板部６と正面板部７ａとの間の傾斜部分の裏面に沿う傾斜板部２８ｂと、
この傾斜板部２８ｂの下端部に一体形成されるとともに前記正面板部７ａの裏面に沿う第２垂直板部２８ｃと、
この第２垂直板部２８ｃの下端部に一体形成されるとともに前記底板部７ｃの上面に沿う第１水平板部２８ｄと、
この第１水平板部２８ｄの建物側端部に一体形成されるとともに前記背面板部７ｄの裏面に沿う第３垂直板部２８ｅと、
この第３垂直板部２８ｅの上端部に一体形成されるとともに前記Ｌ字状板部９の水平部分の下面に沿う第２水平板部２８ｆと、
この第２水平板部２８ｆの軒先側端部に一体形成されるとともに前記Ｌ字状板部９の垂直部分の裏面に沿う第４垂直板部２８ｇと、を備えている。
このようにジョイナー２８は、前記鼻隠本体５の内側に差し込まれた際に、この鼻隠本体５の内側に沿って設けられる構成となっているため、隣り合う鼻隠本体５，５同士を連結できるようになっている。
【００８５】
なお、隣り合う鼻隠本体５，５同士を連結する際には、このようなジョイナー２８による方法と、第１の実施の形態に記載された中仕切り板１１を用いる方法とがあり、いずれの方法を用いるかは適宜選択すればよい。
【符号の説明】
【００８６】
Ａ  空隙
Ｂ  隙間
Ｃ  隙間
Ｄ  切欠部
１  屋根
２ａ  鉛直面
３  雨樋部材
４  鼻隠部材
５  鼻隠本体
６  固定板部
７  通気部
７ａ  正面板部
７ｂ  通気孔
１１  中仕切り板
１１ａ  対向板部
１１ｂ  通気孔
１２  防火発泡材
【図１】
2010168886.tif 000003
【図２】
2010168886.tif 000004
【図３】
2010168886.tif 000005
【図４】
2010168886.tif 000006
【図５】
2010168886.tif 000007
【図６】
2010168886.tif 000008
【図７】
2010168886.tif 000009
【図８】
2010168886.tif 000010
【図９】
2010168886.tif 000011
【図１０】
2010168886.tif 000012
【図１１】
2010168886.tif 000013
【図１２】
2010168886.tif 000014
【図１３】
2010168886.tif 000015
【図１４】
2010168886.tif 000016